(57)【要約】【課題】着座する乗員の安定感を向上させながらも、乗員の着座姿勢の揺れを細かく抑制し得る車両用シートを提供する。【解決手段】車両用シート１０において、シートクッション２０の内部に、可撓性を有する気体非透過性材料の袋状にて形成され、粉体を収容する収容部２２を備え、収容部２２に気体を送気することにより粉体を流体化させて、収容部２２の形状を軟質化にし、収容部２２から気体を吸気することにより粉体を固体化させて、収容部２２の形状を硬質化する。また、収容部２２は、当該収容部２２の外縁をシートクッション２０の内部と固定する外縁固定部２５を有しており、外縁固定部２５は、車両の前後方向又は左右方向の軸線に従って、前記収容部の容積が減少又は増加していく形状からなる。【選択図】図４
2020162908.tif 000002
【特許請求の範囲】
【請求項１】
乗員の臀部を支持するシートクッションと、乗員の背中を支持するシートバックと、を備えた車両用シートにおいて、
前記シートクッションの内部において、可撓性を有する気体非透過性材料の袋状にて形成され、粉体を収容する収容部と、
前記収容部に気体を送気するとともに、前記収容部から気体を吸気する送吸気部と、を備え、
前記送吸気部は、
前記収容部に気体を送気することにより前記収容部に収容された粉体を流体化させて、前記収容部の形状を軟質化にし、
前記収容部から気体を吸気することにより前記収容部に収容された粉体を固体化させて、前記収容部の形状を硬質化にし、
前記収容部は、
当該収容部の外縁を前記シートクッションの内部と固定する外縁固定部を有しており、
前記外縁固定部は、
車両の前後方向又は左右方向の軸線に従って、前記収容部の容積が減少又は増加していく形状からなる、
ことを特徴とする車両用シート。
【請求項２】
前記外縁固定部は、
車両の前後方向又は左右方向の軸線に対し、中央から外側に向かうにつれて前記収容部の容積が減少又は増加していく形状からなる、
ことを特徴とする請求項１に記載の車両用シート。
【請求項３】
前記外縁固定部は、
車両の前後方向及び左右方向の軸線に対し、それぞれの方向に１対の端部を有し、略中央から前記端部に向かうにつれて、前記収容部の容積が減少していく菱形状に形成させる、
ことを特徴とする請求項２に記載の車両用シート。
【請求項４】
前記外縁固定部は、
少なくとも一部の形状が、中央から端部に向かうにつれて前記収容部の容積が減少し、略中央から直線部に向かうにつれて前記収容部の容積が増加していく半円状又は半楕円状に形成されている、
ことを特徴とする請求項２に記載の車両用シート。
【請求項５】
前記外縁固定部は、
車両の前後方向又は左右方向の軸線に対し、いずれか一方向の一方に１つの前記端部と、他方に前記直線部と、前記端部と前記直線部の両端とを接続する曲線部と、を有する、
ことを特徴とする請求項４に記載の車両用シート。
【請求項６】
前記外縁固定部は、
前記収容部と前記シートクッションの表皮部材とを縫い合わせることによって、前記収容部を前記シートクッションの内部に固定している、
ことを特徴とする請求項３〜５のいずれかに記載の車両用シート。
【請求項７】
前記収容部は、
前記車両の前後方向又は左右方向の軸線に対し、それぞれの方向に複数設けられている、
ことを特徴とする請求項２〜６のいずれかに記載の車両用シート。
【請求項８】
前記送吸気部に複数の前記収容部のそれぞれから選択的に吸気させる制御を実行する制御部と、
乗員の姿勢の変化を検出する姿勢検出部と、を更に備え、
前記制御部は、
検出された乗員の姿勢の変化に基づいて、乗員の臀部を支持する位置にある複数の前記収容部のそれぞれから吸気を実行させる、
ことを特徴とする請求項７に記載の車両用シート。
【発明の詳細な説明】
【技術分野】
【０００１】
本発明は、車両に搭載される車両用シートに関するものである。
【背景技術】
【０００２】
従来、車両用シートは、乗員それぞれの着座姿勢を考慮することなく、メーカーの推奨する着座姿勢で製造されている。乗員がメーカーの推奨する着座姿勢で着座していない場合、乗員の体の各部に疲れを感じる。また、この種の車両用シートは、乗員の体型も考慮されていない。
【０００３】
このような問題を解決するため、例えば、特許文献１は、可撓性を有する空気非透過性材料によって形成され内部に粉体を流動可能な状態で充填した袋体を座部及び背当部に配置した車両用シートを開示している。特許文献１に開示されている車両用シートは、着座者の体重により袋体内の粉体を流動させ座部及び背当部の表面を乗員の着座姿勢に合わせた凹凸面に形成し、袋体内から空気を吸引することによって袋体内の粉体の位置を固定させ座部及び背当部の表面の凹凸面を維持している。
【０００４】
また、特許文献２には、表皮部材とクッション体との間に粉体として発泡プラスチック粒子を充填した複数の気密袋を配置した車両用シートを開示している。特許文献２に開示されている車両用シートは、複数の気密袋内を減圧して発泡プラスチック粒子同士を密着、固化させることによって表皮部材の全面を乗員の着座姿勢に合わせた凹凸面を維持している。
【先行技術文献】
【特許文献】
【０００５】
【特許文献１】特開平１０−２２９９３０公報
【特許文献２】実開平４−１１５４４８号公報
【発明の概要】
【発明が解決しようとする課題】
【０００６】
しかしながら、特許文献１及び特許文献２に開示されている車両用シートは、座部及び背当部の全体に渡って粉体が配置されているため、１つの形状で固定されてしまい、車両走行中に発生する様々な方向からの力による乗員の着座姿勢の揺れを効率よく抑制できない。例えば、車両走行中に発生する前後又は左右への力による乗員の着座姿勢の揺れを細かく抑制できなかった。
【０００７】
本発明の目的は、上記課題を解決するものであり、着座する乗員の安定感を向上させながらも、乗員の着座姿勢の揺れを抑制し得る車両用シートを提供することにある。
【課題を解決するための手段】
【０００８】
上記目的を達成するため、本発明の車両用シートは、乗員の臀部を支持するシートクッションと、乗員の背中を支持するシートバックと、を備えた車両用シートにおいて、前記シートクッションの内部において、可撓性を有する気体非透過性材料の袋状にて形成され、粉体を収容する収容部と、前記収容部に気体を送気するとともに、前記収容部から気体を吸気する送吸気部と、を備え、前記送吸気部は、前記収容部に気体を送気することにより前記収容部に収容された粉体を流体化させて、前記収容部の形状を軟質化にし、前記収容部から気体を吸気することにより前記収容部に収容された粉体を固体化させて、前記収容部の形状を硬質化にし、前記収容部は、当該収容部の外縁を前記シートクッションの内部と固定する外縁固定部を有しており、前記外縁固定部は、車両の前後方向又は左右方向の軸線に従って、前記収容部の容積が減少又は増加していく形状からなることを特徴とする。
【発明の効果】
【０００９】
本発明によれば、着座する乗員の安定感を向上させることによって、乗員の着座姿勢の揺れを抑制することができる。
【図面の簡単な説明】
【００１０】
【図１】本発明の実施形態１に係る車両用シートを備えた車両における車内の斜視図である。
【図２】本発明の実施形態１に係る車両用シートの斜視図である。
【図３】本発明の実施形態１に係る車両用シートのシートクッションにおいて、車両の前後方向を断面方向としたときの縦断面概念図である。
【図４】本発明の実施形態１に係る車両用シートのシートクッションを示す図である。
【図５】本発明の実施形態１に係る車両用シートの電気的構成を示すブロック図である。
【図６】本発明の実施形態１に係る車両用シートに乗員が着座している状態の斜視図である。
【図７】本発明の実施形態１の変形例に係る車両用シートのシートクッションの斜視図である。
【図８】本発明の実施形態２に係る車両用シートの姿勢制御の動作を説明するための図である。
【図９】本発明の実施形態２の変形例に係る車両用シートのシートクッションの斜視図である。
【発明を実施するための形態】
【００１１】
（実施形態１）
以下、本発明の実施形態１に係る車両用シートについて、図１〜図６を参照しながら説明する。ただし、以下に説明される実施形態は、本発明のいくつかの例を示すものであって、本発明の内容を限定するものではない。また、各実施形態で説明される構成及び動作の全てが本発明の構成及び動作として必須であるとは限らない。なお、同一の構成要素には同一の参照符号を付して、重複する説明を省略する。尚、以下の説明において直交する一点鎖線それぞれは、車両の前後方向及び左右方向の軸線を表している。
【００１２】
［車両用シートの概略構成］
本発明の実施形態１に係る車両用シート１０の概略構成について図１及び図２を用いて説明する。
【００１３】
図１は、車両用シート１０を備えた車両１における車内の斜視図である。また、図２は、車両用シート１０の斜視図である。
【００１４】
図１に示すように、車両１における車内には、インストルメントパネル２よりも後方に設置されているフロントシート３と、フロントシート３よりも後方に設置されているリアシート４とが配置されている。また、フロントシート３は、運転席用のフロントシート３ａと、助手席用のフロントシート３ｂと、を有している。本実施形態に係る車両用シート１０は、フロントシート３またはリアシート４の少なくともいずれか一方に適用されるものである。
【００１５】
図２に示すように、車両用シート１０は、車両本体の構造体上に固定されているシートクッション２０と、シートクッション２０の後端側から上方に向かって延びるように設けられたシートバック３０と、シートバック３０の上端に設けられたヘッドレスト４０と、を備えている。
【００１６】
また、シートクッション２０は乗員の臀部及び脚部を支持するものであり、シートバック３０は乗員の腰部及び背中を支持するものである。ヘッドレスト４０は、乗員の頭部を支持するものである。
【００１７】
［シートクッションの構成］
次に、本発明の実施形態１に係る車両用シート１０のシートクッション２０の構成について図３及び図４に基づいて説明する。図３は、車両用シート１０のシートクッション２０において、車両の前後方向を断面方向としたときの縦断面概念図である。図４は、車両用シート１０のシートクッション２０を示す図である。図４（ａ）は、シートクッション２０の斜視図である。図４（ｂ）は、車両の水平方向を断面方向としたときの水平断面図である。尚、以下の説明においては、適宜図１及び図２を参酌する。
【００１８】
図３に示すように、シートクッション２０は、乗員の臀部が接する座面２１と、粉体を収容する袋状の収容部２２と、収容部２２に気体を送吸気する送吸気部２３と、を備えている。
【００１９】
また、シートクッション２０の下方であって、シートクッション２０を支持する支持部（図示せず）には、シートクッション２０にかかる圧力を検出するシート圧力センサ２１ｂが設けられている。
【００２０】
座面２１は、布、本革又は合成皮革等の表皮部材２１ａで覆われている。
【００２１】
収容部２２は、座面２１の下方において車両用シート１０に着座した乗員の臀部と対向する対向側に設けられており、可撓性を有する気体非透過性材料の袋体にて形成されている。
なお、本実施形態１においては、１つの収容部２２のみから構成されているが、２以上の収容部２２から構成されてもよい。
【００２２】
また、収容部２２は、送吸気部２３から送吸気されてきた気体を内部に流通させるための接続部２４と、収容部２２の外縁をシートクッション２０の内部と固定する外縁固定部２５と、を有している。
【００２３】
本実施形態１においては、収容部２２に送吸気される気体は、空気（外気）に対応しているが、粉体の流体化又は固体化を高める媒体となるような媒体ガスであってもよい。
【００２４】
収容部２２は、可撓性を有する気体非透過性材料の袋体であるため、内部の気密性が保たれている。
【００２５】
送吸気部２３を介して収容部２２の内部を気体で満たした場合、収容部２２の形状が膨らむように変形する。収容部２２の形状が膨らむように変形することによって、粉体は流動可能な状態で収容部２２に収容される。
【００２６】
これに対して、送吸気部２３を介して収容部２２の内部から気体を吸気した場合、収容部２２の形状は収縮するように変形する。収容部２２の形状が収縮するように変形することにより粉体同士が密着することによって、粉体は固定された状態で収容部２２に収容される。
【００２７】
収容部２２の外縁の形状は、図４（ａ）及び図４（ｂ）に示すように、外縁固定部２５によって車両の前後方向及び左右方向の軸線に対してそれぞれの方向に１対の端部２２ａを有する菱形状となっている。収容部２２の外縁の形状が菱形状に形成されているため、収容部２２の略中央から端部２２ａに向かうにつれて、収容部２２の容積は減少している。
【００２８】
外縁固定部２５は、収容部２２の外縁をシートクッション２０の内部に固定するため、収容部２２と座面２１の表皮部材２１ａとを縫い合わせている。換言すれば、外縁固定部２５は、シートクッション２０の表面のデザインを縫製する縫製部を兼用している。
【００２９】
座面２１の略中央には、収容部２２の内部に収容されている粉体によりシートクッション２０の外側に向けて膨らむことにより凸部２１ｃが形成されている。
【００３０】
図３及び図４に示すように、送吸気部２３を介して収容部２２の内部から気体を吸気した場合、凸部２１ｃは、収容部２２の内部に収容されている粉体により形成されているため、シートクッション２０の座面２１側に対する膨らみを維持している。
【００３１】
これに対し、送吸気部２３を介して収容部２２の内部を気体で満たした場合、送吸気部２３を介して収容部２２の内部から気体を吸気した場合に比べて、シートクッション２０の座面２１側に対してより膨らんでいる。
【００３２】
図３に示すように、送吸気部２３は、例えばコンプレッサ等から構成されており、流通管２６を介して収容部２２の接続部２４に接続されている。また、送吸気部２３は、後述するコントローラ１００からの制御信号に応じて、収容部２２に気体を送吸気する。
【００３３】
送吸気部２３は、流通管２６を介して収容部２２に気体を送気することにより、収容部２２の形状を膨らむように変形させ、収容されている粉体を流体化させる。収容されている粉体が流体化することによって、収容部２２の形状は軟質化する。
【００３４】
これに対し、送吸気部２３は、収容部２２から気体を吸気することにより収容部２２の形状を収縮するように変形させ、収容されている粉体を固体化させる。収容されている粉体が固体化することによって、収容部２２の形状は硬質化する。
【００３５】
［車両用シートの電気的構成］
次に、本発明の実施形態に係る車両用シート１０の電気的構成について図５に基づいて説明する。図５は、車両用シート１０の電気的構成を示すブロック図である。
【００３６】
図５に示すように、車両用シート１０には、コントローラ１００が備えられている。
コントローラ１００は、シート圧力センサ２１ｂと、送吸気部２３と、車両１の進行方向を撮影する車外撮影用カメラ１０１と、車両１内の乗員を撮影する車内撮影用カメラ１０２と、に通信可能に接続されている。
【００３７】
車内撮影用カメラ１０２は、車両用シート１０に着座している乗員の姿勢を検出する姿勢検出部を構成している。また、シート圧力センサ２１ｂによっても、圧力分布によって、着座している乗員の姿勢を推定できる。
【００３８】
コントローラ１００は、不図示のプロセッサ、メモリ及びストレージ等から構成されており、車両用シート１０に含まれる各種構成要素を統括的に制御し、車両用シート１０の各種機能を実現するための制御処理を実行する。プロセッサは、本実施形態におけるプログラムをストレージから呼び出してメモリに展開し、これらを所定順序で実行することにより、乗員の着座姿勢に応じたシートクッションの制御処理を実行する。
【００３９】
コントローラ１００は、送吸気部２３に気体の送吸気をさせる送吸制御を実行させる。具体的には、コントローラ１００は、シート圧力センサ２１ｂからシートクッション２０にかかっている圧力、又は、車内撮影用カメラ１０２から乗員の映像を取得した場合、取得した圧力又は映像に基づいて乗員の着座姿勢を検出する。
【００４０】
そして、コントローラ１００は、検出した着座姿勢に基づいて、送吸気部２３に気体の送吸気をさせる送吸制御を実行する。特に、本実施形態１においては、コントローラ１００が検出した着座姿勢の変化が少ないと判定すると、送吸気部２３に収容部２２の吸気をさせる制御を行う。
【００４１】
また、コントローラ１００は、車外撮影用カメラ１０１から車両進行方向の映像を取得した場合、取得した映像に基づいて車両進行方向にカーブがあるかを判定する。
【００４２】
そして、コントローラ１００は、車両進行方向にカーブがあると判定すると、送吸気部２３に気体の送吸気をさせる送吸制御を実行する。特に、本実施形態１においては、コントローラ１００がカーブの曲率に応じて、送吸気部２３に収容部２２からの吸気量を調整させる制御を行う。
【００４３】
［乗員の着座姿勢の揺れを抑制する態様の説明］
次に、本発明の実施形態に係る車両用シート１０において、乗員の着座姿勢の揺れを抑制する態様について図６を用いて説明する。図６は、車両用シート１０に乗員５０が着座している状態の斜視図である。尚、以下の説明においては、適宜図３〜図５を参酌する。
【００４４】
図６に示すように、乗員５０がシートクッション２０に着座している場合、乗員５０の臀部及び脚部により押圧された凸部２１ｃにある粉体は、外縁固定部２５により収容部２２の外縁の形状を菱形状に維持しつつ、車両の左右方向の軸線（端部２２ａ）に向かって広がっている。
【００４５】
車両が前後方向に加速しながら走行をする場合、車両の前後方向への加速度による慣性力（所謂前後Ｇ）が乗員５０にかかる。また、車両が左右方向に加速しながら曲がる場合、車両の左右方向への加速度による慣性力（所謂横Ｇ）が乗員５０にかかる。
このとき、乗員５０の臀部は、シートクッション２０の略中央から外側に向けて力がかかる。
【００４６】
そして、収容部２２の内部に収容されている粉体は、凸部２１ｃを介して乗員５０の臀部からの押圧によりシートクッション２０の外縁側に偏る。即ち、収容部２２の内部に収容されている粉体は、菱形状の収容部２２が有する４つの端部２２ａに粉体が偏りやすくなる。
【００４７】
このとき、菱形状により収容部２２の容積が収容部２２の略中央から端部２２ａに向かうにつれて減少しているため、端部２２ａにおいて粉体が詰まる。このため、粉体が端部２２ａに詰まることによって、シートクッション２０の座面２１側に対して膨らみをもった凸部が形成されることになる。
この４つの端部２２ａにおける凸部によって、車両走行中に発生する所謂前後Ｇや所謂横Ｇによる揺れを抑制でき、着座する乗員５０の安定感を向上させることができる。
【００４８】
また、コントローラ１００は、姿勢検出部である車内撮影用カメラ１０２によって乗員５０の着座姿勢の揺れが検出されると、送吸気部２３を介して収容部２２から気体を吸気する。これにより、収容部２２の形状は硬質化し、硬質化した収容部２２の形状によって乗員５０の臀部が支持される。
このため、乗員５０に前後Ｇ又は横Ｇがかかったとしても、収容部２２の形状を硬質化させることによって乗員５０の着座姿勢の揺れを抑制することができる。
【００４９】
また、外縁固定部２５は、収容部２２の外縁とシートクッション２０の表皮部材２１ａとを縫い合わせることによって、収容部２２をシートクッション２０の内部に固定している。
このため、外縁固定部２５に、シートクッション２０の表面のデザインを縫製する縫製部を兼用させることができる。本実施形態１では、収容部２２の外縁の形状である菱形状が、粉体の偏りを規制するとともに、シートクッション２０の表面のデザイン性を向上させている。
【００５０】
［変形例］
上記実施形態においては、収容部２２の外縁の形状が菱形状に形成されていたが、半楕円状に形成されていてもよい。
図７は、車両用シート１０のシートクッション２０の斜視図であり、収容部２２の外縁の形状が半楕円状に形成された変形例である。
【００５１】
本実施形態１における変形例では、図７に示すように、収容部２２の外縁の形状が、外縁固定部２５によって、車両の前後方向の軸線に対して、収容部２２の前側に１つの端部２２ａと、収容部２２の後側に車両の左右方向の軸線に沿って伸びるように設けられている直線部２２ｂと、端部２２ａと直線部２２ｂの両端とを接続する曲線部２２ｃとを有する半楕円状に形成されている。なお、本実施形態１の変形例では、半楕円状に形成された収容部２２から構成されているが、半円状に形成された収容部２２から構成されていてもてもよい。
【００５２】
そして、半楕円状により収容部２２の容積が収容部２２の略中央から前側の端部２２ａに向かうにつれて減少しているため、前側の端部２２ａにおいて粉体が詰まる。このため、粉体が前側の端部２２ａに詰まることによって、シートクッション２０の座面２１側に対して膨らみをもった凸部が形成されることになる。
この前側の端部２２ａにおける凸部によって、所謂前後Ｇによる揺れを抑制でき、着座する乗員５０の安定感を向上させることができる。
【００５３】
また、収容部２２の外縁の形状が半楕円状となっているため、収容部２２の容積は、収容部２２の略中央から端部２２ａに向かうにつれて減少し、収容部２２の略中央から直線部２２ｂに向かうにつれて増加している。
このため、本変形例では収容部２２の外縁の形状を外縁固定部２５によって半楕円状にすることによって、収容部２２と乗員の臀部との接触する面積が増加するため、着座する乗員の安定感を向上させることができる。
【００５４】
このように、本実施形態１における変形例においても、実施形態１と同様に、収容部２２の外縁の形状を外縁固定部２５によって半楕円状に形成することにより、車両走行中に発生する所謂前後Ｇによる揺れを抑制でき、着座する乗員の安定感を向上させることができる。
【００５５】
（実施形態２）
続いて、本発明の実施形態２に係る車両用シート１０について、図８を用いて説明する。
図８は、車両用シート１０の姿勢制御の動作を説明するための図である。図８（ａ）は、シートクッション２０の斜視図である。図８（ｂ）は、シートクッション２０において、車両の水平方向を断面方向としたときの水平断面図である。尚、以下の説明においては、適宜図３〜図５を参酌する。
【００５６】
実施形態１では、１つの収容部２２を備えたシートクッション２０で構成されていたが、複数の収容部２２を備えたシートクッション２０で構成されてもよい。
【００５７】
本実施形態２では、シートクッション２０において車両の前後方向又は左右方向の軸線に対し、それぞれの方向に複数の収容部２２が設けられている。
【００５８】
複数の収容部２２のそれぞれが有する接続部２４は、流通管２６を介して送吸気部２３と接続されている。
【００５９】
コントローラ１００は、送吸気部２３に複数の収容部２２のそれぞれから選択的に吸気させることによって、複数の収容部２２の形状を選択的に硬質化させる制御を実行する。
【００６０】
また、コントローラ１００は、車外撮影用カメラ１０１から車両進行方向にカーブがあると判定すると、乗員の姿勢の変化に基づいて、乗員の臀部を支持可能な位置にある複数の収容部２２に対して送吸気部２３から気体を吸気させる。
【００６１】
具体的には、コントローラ１００は、シート圧力センサ又は車内撮影用カメラを介して、座面２１において乗員の臀部で押圧されている範囲を検出し、検出した範囲に位置する収容部２２に対して送吸気部２３から気体を吸気させ、収容部２２の形状を硬質化させる。また、コントローラ１００は、乗員の臀部で押圧されていない範囲に位置する収容部２２に対して、送吸気部２３に気体を送気させて、収容部２２の形状を軟質化させる。
【００６２】
このため、本実施形態２では、コントローラ１００が送吸気部２３にシートクッション２０に設けられた複数の収容部２２から選択的に気体を吸気させることにより、乗員の臀部を支持する位置にある収容部の形状を硬質化にすることができる。
さらには、コントローラ１００が検出された前後Ｇ又は横Ｇによる乗員の着座姿勢の揺れに基づいて選択的に乗員の臀部を支持する位置にある収容部２２の形状を硬質化できるため、乗員の着座姿勢の揺れをより細かく抑制することができる。
【００６３】
このように、コントローラ１００は、送吸気部２３に複数の収容部２２のそれぞれから選択的に吸気させることによって、複数の収容部２２の形状を細かくコントロールすることができ、車両走行中に発生する前後又は左右への力による乗員の着座姿勢の揺れを細かく抑制できる。
【００６４】
［変形例］
上記実施形態においては、収容部２２の形状が菱形状に形成されていたが、半楕円状に形成されていてもよい。
図９は、車両用シート１０のシートクッション２０の斜視図であり、収容部２２の形状が半楕円状に形成された変形例である。
【００６５】
本実施形態２における変形例では、図９に示すように、収容部２２の形状が、実施形態１の変形例と同様に、半楕円状に形成されている。
【００６６】
このため、本変形例では、実施形態１における変形例と同様に、収容部２２の外縁の形状を外縁固定部２５によって半楕円状にすることによって収容部２２と乗員の臀部との接触する面積が増加するため、着座する乗員の安定感を向上させることができる。
【００６７】
このように、本実施形態２における変形例においても、実施形態２と同様に、収容部２２の外縁の形状を外縁固定部２５によって半楕円状に形成することにより、車の走行による乗員の着座姿勢の揺れをより細かく抑制するとともに、着座する乗員の安定感を向上させることができる。
【００６８】
以上のように、各実施形態では、車両用シート１０のシートクッション２０の内部に、可撓性を有する気体非透過性材料の袋状にて形成され、粉体を収容する収容部２２が設けられている。また、収容部２２は、当該収容部２２の外縁をシートクッション２０の内部と固定する外縁固定部２５を有している。外縁固定部２５は、収容部２２の外縁の形状を車両の前後方向又は左右方向の軸線に従って、収容部２２の容積が減少又は増加していく形状に形成している。収容部２２の形状は、送吸気部２３を介して、軟質化及び硬質化を切り替えている。収容部２２の形状が軟質化している場合、収容部２２の外縁の形状による粉体の偏りにより形成された収容部２２の形状の膨らみによって、着座する乗員の臀部は固定されている。
これにより、着座する乗員の安定感を向上させることによって、乗員の着座姿勢の揺れを抑制することができる。
【００６９】
［その他］
上述の各実施形態において、収容部２２の形状は、菱形状又は半楕円状に適用したものを示したが、これに限られず、円形及び多角形に適用しても良いものとする。
【００７０】
また、上述の各実施形態において、コントローラ１００は、取得した車両進行方向の映像、又は、乗員の着座姿勢に基づいて、収容部２２の形状を硬質化させていたがこれに限られないものとする。コントローラ１００は、車両に備えられている加速度センサ等によって検出された乗員にかかる前後方向及び左右方向の慣性力に基づいて、収容部２２の形状を硬質化させても良いものとする。
【符号の説明】
【００７１】
１：車両、３：フロントシート、４：リアシート、１０：車両用シート、２０：シートクッション、２１：座面、２１ａ：表皮部材、２１ｂ：シート圧力センサ（姿勢検出部）、２１ｃ：凸部、２２：収容部、２２ａ：端部、２２ｂ：直線部、２２ｃ：曲線部、２３：送吸気部、２４：接続部、２５：外縁固定部、２６：流通管、３０：シートバック、４０：ヘッドレスト、５０：乗員、１００：コントローラ（制御部）、１０１：車外撮影用カメラ、１０２：車内撮影用カメラ（姿勢検出部）
【図１】
2020162908.tif 000003
【図２】
2020162908.tif 000004
【図３】
2020162908.tif 000005
【図４】
2020162908.tif 000006
【図５】
2020162908.tif 000007
【図６】
2020162908.tif 000008
【図７】
2020162908.tif 000009
【図８】
2020162908.tif 000010
【図９】
2020162908.tif 000011